(57)【要約】  本発明は空圧式頭皮指圧装置に係り、さらに詳しくは、発泡合成樹脂製の内部ヘルメットと外部ヘルメットとの間に所定の空間部が形成されており、前記空間部には指圧板付き多数の空圧シリンダーが設けられており、前記空圧シリンダーを作動する空圧発生部は同空圧シリンダーから離れて別設されていることから、全体的に軽量であり、消音や振動がなく、しかも、使い勝手がよい他、携帯し易い頭皮指圧装置に関する。【選択図】図２
2009520566.tif 000002
【特許請求の範囲】
【請求項１】
内部ヘルメット（１２）と外部ヘルメット（１４）とからなり、これらの間には空間部（１５）が形成されている圧縮発泡樹脂材質のヘルメット（１０）と、
上端に通気管（２１）が形成された筒状シリンダー（２２）と、前記筒状シリンダー（２２）の内部に設けられた圧力板（２４）と、圧力板（２４）の下面に取り付けられて前記筒状シリンダー（２２）の下端に露出されたプッシュロッド（２３）と、前記圧力板（２４）と筒状シリンダー（２２）の底面との間においてプッシュロッド（２３）の周りに設けられたバネ（２５）と、前記プッシュロッド（２３）の下端に嵌合された指圧板（２６）と、からなるが、前記筒状シリンダー（２２）は前記内部ヘルメット（１２）と外部ヘルメット（１４）との間の空間部（１５）に装備され、プッシュロッド（２３）の下端は内部ヘルメット（１２）を貫通して指圧板（２６）が内部ヘルメット（１２）中に露出されている空圧シリンダー（２０）と、
空圧チューブ（３１）により前記空圧シリンダー（２０）に連結されたエアポンプ（３３）及びエア弁（３４）と、これらを制御する制御装置（３６）と、から構成された空圧発生部（３０）と、
を備えることを特徴とする空圧式頭皮指圧装置。
【請求項２】
前記内部ヘルメット（１２）の内部には遠赤外線発光ダイオード（４０）がさらに設けられていることを特徴とする請求項１に記載の空圧式頭皮指圧装置。
【請求項３】
前記空圧シリンダー（２０）の筒状シリンダー（２２）の内壁には段差が形成されており、この段差の上には伸縮性の気密板（２８）が取り付けられており、この気密板（２０）の底面に圧力板（２４）が設けられていることを特徴とする請求項１または２に記載の空圧式頭皮指圧装置。
【請求項４】
前記指圧板（２６）はプッシュロッド（２３）から取り外し可能であり、高さ調節自在に構成されていることを特徴とする請求項１または２に記載の空圧式頭皮指圧装置。
【発明の詳細な説明】
【技術分野】
【０００１】
本発明は空圧式頭皮指圧装置に係り、さらに詳しくは、発泡合成樹脂製の内部ヘルメットと外部ヘルメットとの間に所定の空間部が形成されており、前記空間部には指圧板付き多数の空圧シリンダーが設けられており、前記空圧シリンダーを作動する空圧発生部は同空圧シリンダーから離れて別設されていることから、全体的に軽量であり、消音や振動がなく、しかも、使い勝手がよい他、携帯し易い頭皮指圧装置に関する。
【背景技術】
【０００２】
従来にも脱毛患者や慢性頭痛患者など頭皮指圧が必要となる患者のために種々の頭皮指圧装置が提案されている。例えば、大韓民国特許公開第２０００−３１８５５号（公開日；２０００年６月５日）においてはヘルメットの内部に数百個の油圧シリンジが装着されており、各シリンジの下端においてはチップが設けられていて前記チップが頭皮を指圧するように構成された装置が開示されている。しかしながら、前記特許公開第２０００−３１８５５号明細書には油圧シリンジがどのような構造にて作動されるか、特に、各シリンジに油圧を供給する油圧管がヘルメットの内部にどのように設けられるかなどについての具体的な図面や説明が全く提示されていない。このため、当業者が前記明細書に記載の内容を踏まえて作動可能な頭皮指圧装置を製造することは決して容易ではない。
【０００３】
たとえ、前記特許公開第２０００−３１８５５号に開示された構造を踏まえて頭皮指圧装置を製造することができたとしても、油圧式であるため、ヘルメットの重量が極めて大きく、嵩も大きくならざるをえない。前記特許公開第２０００−３１８５５号に記載の空圧式頭皮指圧装置は、ユーザーが長時間頭部に使うものであるため、重量が大きく、しかも、嵩が大きいという致命的な弱点となる。
【特許文献１】大韓民国特許公開第２０００−３１８５５号
【発明の開示】
【発明が解決しようとする課題】
【０００４】
このように従来に紹介されている頭皮指圧装置は重量が大きく、しかも、嵩が大きくて使い勝手が悪いという欠点があり、また、ある装置は作動の過程において発生する騒音や振動がユーザーの頭部にそのまま伝わったり、人体に有害な電磁気波が多量発生してユーザーの健康を脅かす場合もあった。
そこで、本発明は、軽量であり、しかも、強度に優れた発泡合成樹脂材質により内部ヘルメットと外部ヘルメットを形成し、前記内部ヘルメットと外部ヘルメットとの間に形成された空間部に指圧板付き空圧シリンダーを多数設けることにより、全体として軽量であり、騒音や振動がなく、しかも、使い勝手がよく、携帯し易い空圧式頭皮指圧装置を提供するところにその目的がある。
【課題を解決するための手段】
【０００５】
この目的を達成するために、本発明による空圧式頭皮指圧装置は、半球状の内部ヘルメットと外部ヘルメットとからなり、これらの間には空間部が形成されている圧縮発泡樹脂材質のヘルメットと、前記空間部に装備され、下端には内部ヘルメットを貫通する指圧板が設けられた空圧シリンダーと、前記空圧シリンダーに連結されたエアポンプとエア弁及びその制御装置から構成された空圧発生部と、を備えることを特徴とする。
本発明において、前記空圧シリンダーは、上端に通気管が形成された筒状シリンダーと、前記シリンダーの内部に設けられた圧力板と、圧力板の下面に取り付けられて前記シリンダーの下端に露出されたプッシュロッドと、前記圧力板とシリンダーの底面との間においてプッシュロッドの周りに設けられたバネと、前記プッシュロッドの下端に嵌合された指圧板と、を備えることを特徴とする。
また、本発明による空圧式頭皮指圧装置は、前記内部ヘルメットの内部に遠赤外線発光ダイオードがさらに設けられていることを特徴とする。
【発明を実施するための最良の形態】
【０００６】
本発明による空圧式頭皮指圧装置は、大きく、図１に示すように、ヘルメット１０と、ヘルメット１０の内部に設けられた空圧シリンダー（図１には図示せず）と、空圧チューブ３１を介して前記空圧シリンダーに連結された空圧発生部３０と、を備えてなる。図１中、未説明符号３２は電線である。
【０００７】
先ず、ヘルメット１０は、図２に示すように、内部ヘルメット１２と外部ヘルメット１４の二重構造を有する。内部ヘルメット１２は半球状であって、周縁に沿って外向き鍔部１１が形成されており、後述する空圧シリンダー２０が設けられる多数の孔が穿孔されている。そして、外部ヘルメット１４も半球状であって、その周縁が内部ヘルメット１２の鍔部１１の上に結合される。内部ヘルメット１２と外部ヘルメット１４とは接着剤により一体に貼り合わせられ、取り外し及び取り付け自在に締めネジにより螺合可能である。内部ヘルメット１２と外部ヘルメット１４との間には空間部１５が一定の間隔をおいて形成されている。
【０００８】
本発明において、ヘルメット１０は、軽量で且つ強固な発泡圧縮合成樹脂、好ましくは、圧縮ポリスチレン（いわゆる圧縮発泡スチロール）から形成する。外部ヘルメット１４の外面にはユーザーの好みに応じて種々の色のペイントが塗色される。そして、ヘルメット１０の下端にはユーザーの便宜のために締め紐（図示せず）を設けてもよい。
【０００９】
次に、空圧シリンダー２０は、図３ａに示すように、筒状シリンダー２２と、上端は前記筒状シリンダー２２の内部に挿入され、下端は前記筒状シリンダー２２の下端に露出されたプッシュロッド２３と、前記プッシュロッド２３の上端に装着される圧力板２４と、前記圧力板２４と筒状シリンダー２２の底面との間においてプッシュロッド２３に設けられたバネ２５と、前記プッシュロッド２３の下端に設けられた指圧板２６と、を備える。そして、前記筒状シリンダー２２は内部ヘルメット１２と外部ヘルメット１４との間の空間部１５に装着され、プッシュロッド２３の下端は内部ヘルメット１２を貫通して指圧板２６が内部ヘルメット１２中に露出される。
【００１０】
前記筒状シリンダー２２の上端の一方には、好ましくは、２本の通気管２１が形成されており、これらの通気管２１は空圧チューブ３１により隣り合う筒状シリンダー２２の通気管２１と連結され、最終的には空圧発生部３０に連結される。このため、筒状シリンダー２２の天井と圧力板２４の上面との間には空圧チャンバー２７を形成して空圧チューブ３１を介して供給される空圧が作用し、筒状シリンダー２２の下端と圧力板２４の底面との間にはバネ２５の弾発力が作用する。全ての筒状シリンダー２２の空圧チャンバー２７は空圧チューブ３１により連通されていて、同じ空圧環境を維持する。
【００１１】
本発明の好適な実施例においては、図３ａに示すように、圧力板２４の上にシリコンやゴム材質の気密板２８が設けられる。前記気密板２８は円形であって、周縁は筒状シリンダー２２の内壁に形成された段差の上に貼着されて空圧チャンバー２７の内部の気密を維持する。前記気密板２８は空圧チャンバー２７の膨張に伴い伸展自在に伸縮性の材質からなり、周縁に沿って環状の折り曲げ部２９を形成することが好ましい。空圧チャンバー２７が膨張すれば、図３ｂに示すように、気密板２８が膨張しながら圧力板２４を押す。
【００１２】
本発明において、プッシュロッド２３の下端には指圧板２６が嵌合されて取り外し可能になる。指圧板２６は頭皮に無理な衝撃無しに物理的な圧力が加わるように適当な強度を有するポリウレタンやシリコン材質から形成し、必要に応じて、炭やトルマリン、麦飯石、銀ナノなどの陰イオン発生物質や抗菌性物質を含めることができる。
【００１３】
本発明において、指圧板２６は、図４ａ、図４ｂ、図４ｃおよび図４ｄに示すように、ユーザーが必要に応じて選択して使用できるように種々の形状及び種々の高さに製作される。すなわち、図４ａに比べて図４ｂは高目の指圧板２６ｂであり、図４ｃは下面が広い指圧板２６ｃである、そして、図４ｄは指圧板２６ｄの上面には溝部が形成されており、底面には突起が形成されていて、これらの溝部と突起を係合して指圧板２６ｄの高さを調節自在に構成したものである。前記指圧板２６ｄの底面に形成された突起は指圧効果を高める役割を果たす。
【００１４】
最後に、空圧発生部３０は、空圧チューブ３１により前記空圧シリンダー２０に連結されたエアポンプ３３及びエア弁３４と、前記エアポンプ３３を作動するモーター３５と、前記エア弁３４及びモーター３５を制御する制御装置３６と、を備える。前記エアポンプ３３が作動されると、空圧チューブ３１を介して各空圧シリンダー２０の空圧チャンバー２７に空圧が供給され、空圧チャンバー２７の内部の圧力がバネ２５の弾発力よりも高くなると、図３ｂに示すように、圧力板２４とプッシュロッド２３が下降して指圧板２６が頭皮を押し付ける。これとは逆に、前記エア弁３４が開かれると、エア弁３４を介して空圧チャンバー２７の空圧が排出され、空圧チャンバー２７の圧力がバネ２５の弾発力よりも低くなると、図３ａに示すように、圧力板２４とプッシュロッド２３が上昇しながら指圧板２６が頭皮から離れる。このような過程を通じて多数の指圧板２６が上下運動を繰り返しながら頭皮を指圧する。
【００１５】
本発明においては、例えば、３秒間エアポンプ３３を作動し、１秒間エア弁３４が開かれるように制御装置３６を設定することもでき、６秒または９秒間エアポンプ３３が作動し、２秒または３秒間エア弁３４が開かれるように設定することもできる。
【００１６】
一方、本発明の他の実施例においては、図５に示すように、前記内部ヘルメット１２の内部に遠赤外線発光ダイオード４０をさらに設けてもよい。遠赤外線発光ダイオード４０は指圧板２６の間に２〜４個所設けられ、電線３２を介して制御装置３６及び電源に連結される。遠赤外線は頭皮の毛▲のう▼細胞を刺激し、その周りに分布されている末梢毛細血管の血液循環を促して脱毛を防ぎ、発毛を促すという効果があると知られている。
【００１７】
本発明による空圧式頭皮指圧装置は、発泡合成樹脂材質から内部ヘルメットと外部ヘルメットを形成し、前記内部ヘルメットと外部ヘルメットとの間に形成された空間部には指圧板付き空圧シリンダーを多数設け、前記空圧シリンダーを作動する空圧発生部は前記空圧シリンダーから離れるように別設することにより、全体的に軽量であり、騒音や振動がなく、使い勝手がよい他、携帯し易いというメリットがある。
【００１８】
このため、脱毛患者や慢性頭痛患者などが家庭用や個人用に備置しておき、頭皮指圧が必要となるときに随時便利に使えるように量産して比較的に安価に供給することができると期待される。
【図面の簡単な説明】
【００１９】
【図１】本発明による頭皮指圧装置の斜視図である。
【図２】本発明による頭皮指圧装置の断面構造を示す図である。
【図３ａ】空圧シリンダー２０の構造を示す図である。
【図３ｂ】空圧シリンダー２０の構造を示す図である。
【図４ａ】指圧板２６の形状を例示する図である。
【図４ｂ】指圧板２６の形状を例示する図である。
【図４ｃ】指圧板２６の形状を例示する図である。
【図４ｄ】指圧板２６の形状を例示する図である。
【図５】本発明の一実施例により内部ヘルメット１２の内部に指圧板２６と遠赤外線発光ダイオード４０が配置された状態を示す図である。
【図１】
2009520566.tif 000003
【図２】
2009520566.tif 000004
【図３】
2009520566.tif 000005
【図４】
2009520566.tif 000006
【図５】
2009520566.tif 000007
【国際調査報告】
2009520566.tif 000008